(57)【要約】      （修正有）【課題】小型で可搬性が高く保守が容易な電気泳動実験で使用するゲル流し込み用灌流装置を提供する。【解決手段】ゲル流し込み用灌流装置は、ゲル注入スタンド１と、ゴムクッション２と、固定ベース３とを備えている。切込みガラスとガラス板とを強固に重ね合わせてゲル室１２３を形成し、これをスラブゲル注入用型枠１２と称す。同一のスラブゲル注入用型枠１２を、２枚可搬式注入スタンド１１のそれぞれの側の内側に沿って取り付け、その後、ウエッジフレーム１３をスラブゲル注入用型枠１２に抗して挿入すると、ゲル注入スタンド１が形成される。固定ベース３の各側壁固定構造体３２がスラブゲル注入用型枠１２を二方向から圧縮するので、スラブゲル注入用型枠は良好にシールされる。 【選択図】図１
0003157180.tif 000002
【実用新案登録請求の範囲】
【請求項１】
ゲル現場流し込み装置であって、ゲル注入スタンド（１）と、ゴムクッション（２）と
、固定ベース（３）とを備え、
前記ゲル注入スタンド（１）は、可搬式注入スタンド（１１）と、２枚のスラブゲル注
入型枠（１２）と、２個のウエッジフレーム（１３）とを備え、前記スラブゲル注入用型
枠（１２）は、主として切込みガラス（１２１）とスペーサ付ガラス板（１２２）とを備
え、前記切込みガラスと前記ガラス板とを強固に重ね合わせてゲル室（１２３）を形成し
、前記可搬式注入スタンド（１１）は、同一の前記スラブゲル注入用型枠（１２）２枚を
可搬式注入スタンド（１１）のそれぞれの側の内面に沿って取り付け、その後、ウエッジ
フレーム（１３）をスラブゲル注入用型枠（１２）に抗して挿入するものであり、
前記固定ベース（３）は、４個の固定ブロック（３１１）を有するベース（３１）と２個の側壁固定構造体（３２）とを備え、前記２個の側壁固定構造体はそれぞれ偏心体（３５）と、駆動ピン（３４）と、押圧板とを備え、前記偏心体（３５）は、軸心に沿って、偏心部（３５１）と、U字溝ストッパ（３５２）と、ピンロール位置決め穴（３５３）と、O字溝軸体（３５４）と、ハンドル（３３）とを備え、前記側壁固定構造体（３２）のそれぞれ下部は、前記U字溝ストッパ（３５２）とO字溝軸体（３５４）とに合致する前記駆動ピン（３４）を有し、各駆動ピン（３４）は、ボルト（３４１）と、ばね（３４２）と、垂直方向に弾性的に伸縮可能なピン（３４３）とを備え、前記側壁固定構造体上には、固定ベースの内部に面する押圧板（３６）が設けられ、該押圧板はそれぞれ、前記偏心部（３５１）に引っ掛かり、前記押圧板を支持する水平案内棒（３７）と接続され、
前記ゴムクッション（２）は前記固定ベース（３）の前記ベース（３１）上にセットさ
れ、ゲル注入スタンドが４個の固定ブロック（３１１）内の固定ベース（３）上に設置され、前記駆動ピン（３４）のピン（３４１）がU字溝ストッパ（３５２）内に位置する状態で、前記ハンドル（３３）を内側に押して前記押圧板（３６）を前記スラブゲル注入用型枠（１２）に対して適切な距離にまで動かし、前記ハンドル（３３）を時計方向に回し、前記押圧板（３６）をウエッジフレーム（１３）の下梁上にセットし、それにより前記ピンロール位置決め穴（３５３）内の前記駆動ピン（３４）の前記ピン（３４１）を掴み、前記押圧板（３６）が前記スラブゲル注入用型枠（１２）を強固に二方向から圧縮する前記ウエッジフレームを自動的に押圧することを特徴とするゲル現場流し込み装置。
【考案の詳細な説明】
【技術分野】
【０００１】
本考案は、一般的には実験機器に関し、具体的には、電気泳動実験で使用するゲル流し
込み用灌流装置に関する。
【背景技術】
【０００２】
ゲル流し込み（注入）の一般的な方法では、電気泳動実験では殆どがシリコンクッショ
ングランドストリップ法を用いる。ゲル室は、通常切込みガラス板と、ガラス板と、Ｕ字
状シリコンクッショングランドストリップと、４個のクリップとを含む。道具を使ってゲ
ル室を垂直に置き、ゲルをシステム内に注入する。分析を行うには、ゲルが固化する必要
があるので、実験の効率が下がり、ゲル注入手順が複雑化し、ゲルの品質が低下する。ゲ
ルの注入を終えると、実験を行うためにはＵ字状シリコンクッショングランドの除去も行
わなければならない。これは、ゲル室からのゲル漏洩の原因にもなり、ゲル室内にバブル
の混入も発生し、下部のゲルを均一にすることの困難が増す。一般的に、通常のゲル注入
法では、作業が複雑化し、実験結果が不安定になることが多い。
【考案の概要】
【考案が解決しようとする課題】
【０００３】
上記の背景技術に関し、改良したスラブゲル流し込み（注入）用型枠を備え、固定ベー
スを追加してスラブゲル注入用型枠を強固に二方向から押圧することによりバブルを避け
、ゲルの漏洩を防止する、スラブゲル注入用型枠を移動することなく実験を開始できるゲ
ル現場流し込み装置を開発することが本考案の目的の一つである。
【課題を解決するための手段】
【０００４】
本考案は、ゲル注入スタンド（１）と、シリコンクッション（２）と、固定ベース（３
）とを備えた「ゲル現場流し込み装置」に関する。  前記ゲル注入スタンド（１）は、可
搬式注入スタンド（１１）と、２枚のスラブゲル注入用型枠（１２）と、２枚のウエッジ
フレーム（１３）とを備えている。前記スラブゲル注入用型枠（１２）は、主として切込
みガラス（１２１）とスペーサ付ガラス板（１２２）とを備えている。前記切込みガラス
（１２１）とガラス板（１２２）とを強固に重ね合わせてゲル注入型枠（１２３）を形成
する。前記ゲル注入スタンド（１）は、同一のゲル注入用型枠（１２）２枚を可搬式注入
スタンド（１１）のそれぞれの側の内面に沿って取り付け、その後、ウエッジフレーム（
１３）をスラブゲル注入用型枠（１２）間に挿入することにより形成される。
前記固定ベース（３）は、４個の固定ブロック（３１１）を有するベース（３１）と２個の側壁固定構造体（３２）とを備えている。前記２個の側壁固定構造体（３２）はそれぞれ偏心体（３５）と、駆動ピン（３４）と、押圧板（３６）とを備えている。前記偏心体（３５）は、軸心に沿って、偏心部（３５１）と、U字溝ストッパ（３５２）と、ピンロール位置決め穴（３５３）と、O字溝軸体（３５４）と、ハンドル（３３）とを備えている。前記側壁固定構造体（３２）のそれぞれ下部は、前記U字溝ストッパ（３５２）とO字溝軸体（３５４）とに合致する駆動ピン（３４）を有する。各駆動ピン（３４）は、ボルト（３４３）と、ばね（３４２）と、垂直方向に弾性的に伸縮可能なピン（３４１）とを備えている。前記側壁固定構造体（３２）上には、固定ベース（３）の内部に面する押圧板（３６）が設けられている。該押圧板（３６）は、偏心部（３５１）に引っ掛かり、押圧板（３６）を支持する水平案内棒（３７）に接続する。
「ゲル現場流し込み装置」の全体的な構造は、以下の通りである。前記ゴムクッション
（２）が固定ベース（３）のベース（３１）上にセットされ、ゲル注入スタンド（１）が
４個の固定ブロック（３１１）内の固定ベース（３）上に設置される。次いで、駆動ピン
（３４）のピン（３４１）がU字溝ストッパ（３５２）内に位置する状態で、前記ハンドル（３３）を内側に押して押圧板（３６）をスラブゲル注入用型枠（１２）に対して適切な距離にまで動かす。その後、前記ハンドル（３３）を時計方向に回し、押圧板（３６）
をウエッジフレーム（１３）の下梁上にセットすると、ハンドルがピンロール位置決め穴
（３５３）内の駆動ピン（３４）のピン（３４１）を捉える。従って、スラブゲル注入用
型枠（１２）を二方向から自動的に圧縮するウエッジフレーム（１３）を押圧板（３６）
が押圧する。    
【考案の効果】
【０００５】
本考案は、以下のような面で有利である。
１．スラブゲル注入用型枠（１２）と固定ベース（３）との組合せを改良した構造によ
り、「ゲル現場流し込み装置」は、ゲルが固化した直後にスラブゲル注入用型枠を移動す
ることなく電気泳動実験が開始できるという新規な作用を得ることができる。それにより
、ゲル溶液の漏洩を避け、スラブゲル注入用型枠内へのバブルの流入を防止できる。また
、ゲルの下端は、スラブゲル注入用型枠（１２）と均一に揃う。一般的に、本装置は、電
気泳動実験の質と効率を改良した。また、本装置は小型で、持ち運びができ、取り扱いが
簡単である。
２．本システムは、構造が簡単で、小型化しており、便利で信頼性が高く、保守、修理
が簡単である。
【図面の簡単な説明】
【０００６】
【図１】図１は、本考案の一実施例による装置全体の斜視図である。
【図２】図２は、本考案の一実施例による内部構造の斜視図である。
【図３】図３は、本考案の一実施例による切込みガラスの斜視図である。
【図４】図４は、本考案の一実施例によるスペーサ付ガラス板の斜視図である。
【考案を実施するための形態】
【０００７】
図示の通り、「ゲル現場流し込み装置」は、ゲル流し込み（注入）スタンド（１）とシ
リコンクッション（２）と、固定ベース（３）とから成る。
ゲル注入スタンド（１）は、可搬式注入スタンド（１１）と、２枚のスラブゲル注入用
型枠（１２）と、２枚のウエッジフレーム（１３）と、から成る。各スラブゲル注入用型
枠（１２）は、主として切込みガラス（１２１）とスペーサ付ガラス板（１２２）とを含
む。切込みガラス（１２１）とガラス板（１２２）とをしっかりと重ね合わせると、スラ
ブゲル注入用型枠（１２３）が形成される。ゲル注入スタンド（１）は、同じスラブゲル
注入用型枠（１２）２枚を可搬式注入スタンド（１１）のそれぞれの側の内面に沿って取
り付け、その後、ウエッジフレーム（１３）をスラブゲル注入用型枠（１２）に抗して挿
入する。
【０００８】
固定ベース（３）は、４個の固定ブロック（３１１）と２個の側壁固定構造体（３２）
とを有するベース（３１）から成る。側壁固定構造体（３２）は、それぞれ偏心体（３５
）と、駆動ピン（３４）と、押圧板（３６）とを含む。偏心体（３５）は、軸心に沿って
、偏心部（３５１）と、U字溝ストッパ（３５２）と、ピンロール位置決め穴（３５３）
と、O字溝軸体（３５４）と、ハンドル（３３）とから成る。側壁固定構造体（３２）の
下部は、それぞれ、前記U字溝ストッパ（３５２）とO字溝軸体（３５４）とに合致する駆
動ピン（３４）を有する。各駆動ピン（３４）は、ボルト（３４３）と、ばね（３４２）
と、垂直方向に弾性的に伸縮可能なピン（３４１）とから成る。側壁固定構造体（３２）
上には、固定ベース（３）の内側に面する押圧板（３６）が設けられている。この押圧板
（３６）は、偏心部（３５１）に引っ掛かり、押圧板（３６）を支持する水平案内棒（３
７）と接続される。
【０００９】
「ゲル現場流し込み装置」全体の構造は、以下の通りである。シリコンクッション（２
）が固定ベース（３）のベース（３１）上にセットされ、ゲル注入スタンド（１）が４個
の固定ブロック（３１１）内の固定ベース（３）上に設置される。次いで、駆動ピン（３
４）のピン（３４１）がU字溝ストッパ（３５２）内に位置する状態で、ハンドル（３３
）を内方に押して押圧板（３６）をスラブゲル注入用型枠（１２）に対して適切な距離に
まで動かす。その後、ハンドル（３３）を時計方向に回し、押圧板（３６）をウエッジフ
レーム（１３）の下梁上にセットすると、ハンドルがピンロール位置決め穴（３５３）で
駆動ピン（３４）のピン（３４１）を掴む。従って、押圧板（３６）がウエッジフレーム
（１３）を押圧し、自動的にスラブゲル注入用型枠（１２）を強固に二方向から押圧する
。
【００１０】
ゲルを注入する前に、切込みガラス板（１２１）とスペーサガラス板（１２２）とを重
ね合わせることによりスラブゲル注入用型枠を形成する。これにより、スラブゲル注入用
型枠（１２３）が組み立てられる。スラブゲル注入用型枠（１２３）をゲル注入スタンド
（１）に取り付け、切込みガラス板をゲル注入スタンド（１）の内壁に押しつける。ウエ
ッジフレーム（１３）をスラブゲル注入用型枠（１２３）に挿入する。ウエッジフレーム
を押し込み、ゲル空間が圧縮されるようにする。次いで、ゲル注入スタンド（１）を４個
の固定ブロック（３１１）が形成する領域のベース（３１）上にセットし、ゲル注入スタ
ンド（１）が十分にシリコンクッション（２）と接触していることを確認する。この際、
駆動ピン（３４）のピン（３４１）は、U字溝ストッパ（３５２）内にあり、側壁固定構
造体（３２）のハンドルは、下向きにセットされている。これを最初の段階と呼ぶことに
する。この状態では、２本のハンドル（３３）も偏心体（３５）も自由に回転することは
できず、ゲル注入スタンドの内方に向かって押すことだけが可能である。ハンドルを限度
（３３）まで押すと、ある角度だけ回転できる。次いで、駆動ピン（３４）のピン（３４
１）がピンロール位置決め穴（３５３）内に移動可能であり、側壁固定構造体（３２）は
、固定された状態にある。この時、２本のハンドル（３３）は水平に動かすことはできず
、自由に回転できる。この最初の段階において、２本のハンドル（３３）を水平方向に押
し込んだり引き抜いたりできるようにし、回転できないようにすることの目的は、装置の
損傷につながる誤作動を防止するためであり、また、底（３１）の中心にシリコンクッシ
ョン（２）があることを確認するためである。設定の後で、スラブゲル注入用型枠（１２
）の厚みとウエッジフレーム（１３）の高さは、特定の実験において使用されるゲルの種
類によって調節可能である。パターンとしては、スラブゲル注入用型枠（１２）が厚くな
れば、ウエッジフレーム（１３）の高さが高くなるということである。また、ウエッジフ
レーム（１３）は、ハンドル（３３）の回転に伴う押圧板（３６）の動きにより上下動す
る。マークがある厚みを指す適切な位置にハンドル（３３）を回転すると、押圧板（３６
）がウエッジフレームを強固に押圧し、固定する。これで装置の設定が終わり、ユーザは
ゲルの注入を開始できる。
【００１１】
この新規な装置の作動概念は、スラブゲル注入用型枠を自動的に強固に圧縮するウエッ
ジフレーム（１３）を押圧するために、偏心体（３５）の回転を利用して押圧板（３６）
を上下動させることである。力がウエッジフレーム（１３）に直接加わるので、スラブゲ
ル注入用型枠（１２）が確実に固定位置にある。この装置の開発により、ゲル溶液の漏れ
防止と、ゲル注入中にスラブゲル注入用型枠（１２）内へのバブル流入が防止できる。
【図１】
0003157180.tif 000003
【図２】
0003157180.tif 000004
【図２Ａ】
0003157180.tif 000005
【図３】
0003157180.tif 000006
【図４】
0003157180.tif 000007